(57)【要約】【課題】部材全体の高さを大きくすること無く、ディスク保持部の実質的な高さを高くすることができる。【解決手段】ディスク状記録媒体Ａが載置される載置面６２ａを有するディスク載置部６２と、ディスク載置部６２の内側に配設され、第１のスタックリブＡ４を受容する第１の環状逃げ溝６５と、第１の環状逃げ溝６５の内側に配設され、第２のスタックリブＡ４を受容する第２の環状逃げ溝６４と、第２の環状逃げ溝６４の内側に配設され、ディスク状記録媒体Ａの中心開口部Ａ３に嵌合する外周壁部６３ａを有して、ディスク状記録媒体Ａを保持するディスク保持部６３と、を備え、第２の環状逃げ溝６４の内周壁部６４ａがディスク保持部６３の外周壁部６３ａを形成する。【選択図】図７
2012158102.tif 000002
【特許請求の範囲】
【請求項１】
第１のスタックリブを有する第１のディスク状記録媒体と、前記第１のスタックリブの直径と異なる第２のスタックリブを有する第２のディスク状記録媒体と、を保持可能に構成されたディスク保持部材であって、
前記ディスク状記録媒体が載置される載置面を有するディスク載置部と、
前記ディスク載置部の内側に配設され、前記第１のスタックリブを受容する第１の環状逃げ溝と、
前記第１の環状逃げ溝の内側に配設され、前記第２のスタックリブを受容する第２の環状逃げ溝と、
前記第２の環状逃げ溝の内側に配設され、前記ディスク状記録媒体の中心開口部に嵌合する外周壁部を有して、前記ディスク状記録媒体を保持するディスク保持部と、を備え、
前記第２の環状逃げ溝の内周壁部が前記ディスク保持部の外周壁部を形成することを特徴とするディスク保持部材。
【請求項２】
前記ディスク保持部の外周壁部に切り込んで構成され、前記ディスク状記録媒体に保持力を付与する弾性部を、更に備えたことを特徴とする請求項１に記載のディスク保持部材。
【請求項３】
請求項１または２に記載のディスク保持部材と、
保持した前記ディスク状記録媒体のレーベル面に対し、インクを吐出するインクジェットヘッドと、を備えたことを特徴とするインクジェット記録装置。
【発明の詳細な説明】
【技術分野】
【０００１】
本発明は、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）やＢＤ（Ｂｌｕ−ｒａｙ  Ｄｉｓｃ）等のディスク状記録媒体を保持するディスク保持部材およびこれを備えたインクジェット記録装置に関するものである。
【背景技術】
【０００２】
従来、この種のディスク保持部材として、ディスク状記録媒体のレーベル面に画像を描画するインクジェット記録装置において、ディスク状記録媒体を保持すると共に、描画に際しローラー搬送されるトレイが知られている（特許文献１参照）。このトレイは、ディスク状記録媒体を保持可能な凹部と、凹部の中心に形成され、ディスク状記録媒体の嵌合穴に嵌合する嵌合凸部と、凹部および嵌合凸部に亘って逆「Ｕ」字状に切り欠いて形成した４つの弾性片と、を有している。すなわち、このディスク保持部材では、４つの弾性片の弾性を利用して、ディスク状記録媒体を嵌合凸部上で強固に嵌合保持している。
【先行技術文献】
【特許文献】
【０００３】
【特許文献１】特開２００９−３９８７８号公報
【発明の概要】
【発明が解決しようとする課題】
【０００４】
ところで、上記のようなインクジェット記録装置では、描画精度を向上すべく、ディスク状記録媒体のレーベル面と、インクジェットヘッドとのギャップを極力狭くする必要がある。その結果、ディスク保持部材においては、インクジェットヘッドとの接触を防止すべく、嵌合凸部（ディスク保持部）の高さが、レーベル面と同等程度に制限される。
しかしながら、このような構成では、弾性片（弾性部）の高さ方向のストロークが制限され、十分な弾性が得られない。よって、ディスク状記録媒体に対するチャック力が低下してしまうという問題があった。すなわち、嵌合凸部（ディスク保持部）において、弾性片（弾性部）を設けるための高さが得られないという問題がある。
【０００５】
本発明は、部材全体の高さを大きくすること無く、ディスク保持部の実質的な高さを高くすることができるディスク保持部材およびこれを備えたインクジェット記録装置を提供することを課題としている。
【課題を解決するための手段】
【０００６】
本発明のディスク保持部材は、第１のスタックリブを有する第１のディスク状記録媒体と、第１のスタックリブの直径と異なる第２のスタックリブを有する第２のディスク状記録媒体と、を保持可能に構成されたディスク保持部材であって、ディスク状記録媒体が載置される載置面を有するディスク載置部と、ディスク載置部の内側に配設され、第１のスタックリブを受容する第１の環状逃げ溝と、第１の環状逃げ溝の内側に配設され、第２のスタックリブを受容する第２の環状逃げ溝と、第２の環状逃げ溝の内側に配設され、ディスク状記録媒体の中心開口部に嵌合する外周壁部を有して、ディスク状記録媒体を保持するディスク保持部と、を備え、第２の環状逃げ溝の内周壁部がディスク保持部の外周壁部を形成することを特徴とする。
【０００７】
この場合、ディスク保持部の外周壁部に切り込んで構成され、ディスク状記録媒体に保持力を付与する弾性部を、更に備えたことが好ましい。
【０００８】
これらの構成によれば、環状逃げ溝の内周壁部がディスク保持部の外周壁部を形成しているため、ディスク保持部の実質的な高さを高くすることができる。これにより、ディスク保持部に形成する弾性部の丈を高く形成することができる。すなわち、スタックリブを逃げるための環状逃げ溝との協働により、弾性部を高さ方向に広く形成することができ、ばねストロークを大きくすることができる。よって、ディスク保持部（弾性部）のチャック力を安定させることができる。
また、スタックリブの直径が異なる複数種のディスク状記録媒体を、浮き上ることなく保持することができる。例えば、大径のスタックリブを有するＣＤやＤＶＤと、小径のスタックリブを有するＢＤと、を浮き上ることなく保持することができる。これにより、ディスク状記録媒体を安定姿勢でセットすることができる。
【０００９】
本発明のインクジェット記録装置は、上記のディスク保持部材と、保持したディスク状記録媒体のレーベル面に対し、インクを吐出するインクジェットヘッドと、を備えたことを特徴とする。
【００１０】
この構成によれば、チャック力を維持しつつ、レーベル面とインクジェットヘッドとのギャップを極力狭くすることができる。よって、描画精度を向上させることができる。
【図面の簡単な説明】
【００１１】
【図１】実施形態に係るインクジェット記録装置を示した外観斜視図である。
【図２】装置ハウジングを省略したインクジェット記録装置を示した斜視図である。
【図３】装置本体を示した断面図である。
【図４】ディスク状記録媒体を示した断面図である。
【図５】ディスクトレイを示した平面図である。
【図６】ディスク保持部廻りを示した要部斜視図である。
【図７】ディスク保持部廻りを示した要部断面図である。
【発明を実施するための形態】
【００１２】
以下、添付した図面を参照して、本発明の一実施形態に係るインクジェット記録装置１について説明する。図１は、インクジェット記録装置１を示した斜視図であり、図２は、装置ハウジング２６を省略したインクジェット記録装置１を示した斜視図である。なお、以下、図１および図２においての前後方向をＸ軸方向とし、左右方向をＹ軸方向として説明する。図１および図２に示すように、インクジェット記録装置１は、いわゆるインクジェットプリンターであり、主に、印刷用紙や単票紙を印刷対象とするものであるが、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）やＢＤ（Ｂｌｕ−ｒａｙ  Ｄｉｓｃ）等のディスク状記録媒体Ａのレーベル面Ａ２も印刷対象としている。そこで、以下の説明では、ディスク状記録媒体Ａのレーベル面Ａ２を印刷する場合について説明する。インクジェット記録装置１は、装置本体２と、装置本体２の側面に着脱自在に連結されると共に、各色のインクタンク１１を搭載したタンクユニット３と、を備えている。各色のインクタンク１１は、インクチューブ１２を介して後述のインクジェットヘッド５２に接続され、各色のインクを供給する。また、装置本体２には、アタッチメントとしてディスク状記録媒体Ａをセットするためのディスクトレイ２０が用意されている。
【００１３】
図２に示すように、装置本体２は、ディスク状記録媒体Ａをセットするディスクトレイ（ディスク保持部材）２０と、ディスク状記録媒体Ａをセットしたディスクトレイ２０を、送り経路Ｒに沿って搬送する搬送部２１と、送り経路Ｒの上方に配設され、ディスク状記録媒体Ａにインクジェット方式で印刷処理を行う印刷部２２と、各部を搭載した装置フレーム２５と、これらを覆う装置ハウジング２６（図１参照）と、を備えている。図１に示すように、装置ハウジング２６の側面には、タンクユニット３を着脱自在に連結する前後一対の係合部２７が形成されている。また、図示省略するが、装置本体２の後面下部には、ＵＳＢポートおよび電源ポートが配設されている。すなわち、インクジェット記録装置１は、ＵＳＢポートを介してコンピューター等に接続可能に構成されている。なお、当該コンピューター等では、ディスク状記録媒体Ａのレーベル面Ａ２を印刷するのに、レーベル面Ａ２印刷用のアプリケーションソフトを用いて、画像データを作成し、印刷実行を指示する。
【００１４】
図２に示すように、印刷部２２は、装置フレーム２５に支持されると共にＹ軸方向に幅一杯に延在するガイド軸４９およびガイドフレーム４１と、ガイド軸４９およびガイドフレーム４１に往復動自在に支持されたキャリッジユニット４２と、キャリッジユニット４２をガイド軸４９およびガイドフレーム４１に沿って往復動させるキャリッジ移動機構４３と、を備えている。そして、このキャリッジユニット４２に、インクジェットヘッド５２が搭載されている。
【００１５】
キャリッジ移動機構４３は、ガイドフレーム４１に沿って延在するタイミングベルト４６と、タイミングベルト４６を架け渡した主動プーリ（図示省略）および従動プーリ４７と、タイミングベルト４６とキャリッジユニット４２（キャリッジ５１）とを連結する連結固定部（図示省略）と、主動プーリを駆動するキャリッジモーター４８と、を備えている。キャリッジモーター４８が正逆回転すると、タイミングベルト４６を介してキャリッジユニット４２がＹ軸方向（左右方向）に往復動する。この往復動に伴って、キャリッジユニット４２のインクジェットヘッド５２が吐出駆動することにより、いわゆる主走査が行われる。
【００１６】
図３は、装置本体２を示した断面図である。図３に示すように、キャリッジユニット４２は、ガイド軸４９およびガイドフレーム４１に往復動自在に支持された箱状のキャリッジ５１と、キャリッジ５１の下面に一体に組み込まれたインクジェットヘッド５２と、インクジェットヘッド５２に上側から接続されると共に、インクチューブ１２の下流端が接続された色別の接続アダプター５３と、を備えている。インクジェットヘッド５２は、６色のインク滴を吐出する６連のノズル列（図示省略）を有しており、ディスク状記録媒体Ａのレーベル面Ａ２に対し所定のギャップを介して対峙する。一方、各接続アダプター５３は、インクバッファやインクフィルター等を内蔵し、その上部には、インクチューブ１２を接続するための流入継手を有している。
【００１７】
図２および図３に示すように、搬送部２１は、ディスクトレイ２０を印刷部２２直下に送り込む供給ローラー３３と、供給ローラー３３の下流側に位置し、印刷部２２（インクジェットヘッド５２）に対面する規制部材（プラテンに相当する）３４と、規制部材３４の下流側に位置する鋸歯状のガイドローラー３５と、ガイドローラー３５の下流側に位置し、ディスクトレイ２０を排出する排出ローラー３６と、排出されたディスクトレイ２０を受ける排出トレイ３７と、を備えている。加えて、搬送部２１は、印刷用紙や単票紙を印刷する際に用いる給紙トレイ３１および分離ローラー３２を備えている。また、図示省略するが、送り経路Ｒに面して、ディスクトレイ２０の位置、並びに、ディスク状記録媒体Ａの有無および位置を検出するための光センサーが配設されている。なお、図１に示すように、給紙トレイ３１および排出トレイ３７は、収納可能な可動式になっている。
【００１８】
供給ローラー３３は、下側の供給駆動ローラー３３ａと上側の供給従動ローラー３３ｂとから成るニップローラーで構成され、同様に排出ローラー３６は、下側の排出駆動ローラー３６ａと上側の排出従動ローラー３６ｂとから成るニップローラーで構成されている。これらのニップローラーによって、ディスク状記録媒体Ａとディスクトレイ２０とを一体として挟圧搬送する。そして、供給ローラー３３は、ディスクトレイ２０の送り（副走査）を制御するメインローラーとして機能する。
【００１９】
ディスクトレイ２０の搬送は、ディスク状記録媒体Ａをセットしたディスクトレイ２０が、排出トレイ３７にセットされた状態から行われる。まず、排出トレイ３７にセットされたディスクトレイ２０は、供給ローラー３３および排出ローラー３６により逆送りされ、ディスク状記録媒体Ａが印刷部２２の上流側に移動したスタートポジションに移動される。スタートポジションに移動したディスクトレイ２０は、供給ローラー３３により、規制部材３４上を排出ローラー３６に向かってＸ軸方向に間欠送りされる（副走査）。この間欠送りに同期して、印刷部２２を駆動することで、所望の印刷が行われる。一方、規制部材３４を越えてガイドローラー３５に達したディスクトレイ２０は、ガイドローラー３５により先端を上側から押さえられ、排出ローラー３６に送り込まれる。このようにして、印刷処理が完了したディスクトレイ２０は、排出ローラー３６により、排出トレイ３７に送り出される。
【００２０】
印刷処理では、搬送部２１によってディスクトレイ２０をＸ軸方向に間欠送り（副走査）すると共に、インクジェットヘッド５２を駆動しつつ、キャリッジ移動機構４３によって、キャリッジユニット４２をＹ軸方向に往復させて（主走査）、ディスク状記録媒体Ａのレーベル面Ａ２に画像データを印刷する。なお、インク吐出によるポンプ作用によって、各色のインクが各インクタンク１１からインクジェットヘッド５２に順次供給される。
【００２１】
ここで図４を参照して、印刷対象となるディスク状記録媒体Ａについて説明する。図４（ａ）は、ＣＤおよびＤＶＤを示した断面図である。図４（ｂ）は、ＢＤを示した断面図である。図４に示すように、ディスク状記録媒体Ａは、データを記録するための記録面Ａ１と、記録面Ａ１に表裏するレーベル面Ａ２とからなり、その中央部には、中心開口部Ａ３（ディスク孔）が形成されている。さらに、記録面Ａ１側の内縁には、スタックリブＡ４（スタックリング）が形成されている。ディスク状記録媒体Ａは、その製造工程において、ポールに積み重ねて一時保管および搬送される。スタックリブＡ４は、その際、積み重ねたディスク状記録媒体Ａが、互いの記録面Ａ１を傷つけないようにするためのものであり、記録面Ａ１を浮かせた状態で積み重ねるための環状突起である。スタックリブＡ４は、ディスク状記録媒体Ａの種類によって直径が異なるものがあり、ＣＤおよびＤＶＤ（第１のディスク状記録媒体）のスタックリブＡ４（第１のスタックリブ）は同一径であるのに対し、ＢＤ（第２のディスク状記録媒体）のスタックリブＡ４（第２のスタックリブ）は、ＣＤおよびＤＶＤのスタックリブＡ４より小径に形成されている。
【００２２】
次に図５ないし図７を参照して、ディスクトレイ２０について説明する。図５は、ディスクトレイ２０を示した平面図である。図５に示すように、ディスクトレイ２０は、上記複数種のディスク状記録媒体Ａを個々に保持可能であると共に、一体の部材で成形されており、装置本体２とは独立した形態を有している。ディスクトレイ２０は、搬送方向（Ｘ軸方向）に長い薄板状のベース体６１と、ベース体６１に形成され、レーベル面Ａ２を上にしてディスク状記録媒体Ａを載置する円形のディスク載置部６２と、ディスク載置部６２の内側に形成され、ディスク状記録媒体Ａに嵌合してディスク状記録媒体Ａを位置決め保持するディスク保持部６３と、ディスク載置部６２内側で且つディスク保持部６３の外側に離間して配設された第１の環状逃げ溝６５と、ディスク載置部６２の内側で且つディスク保持部６３の外側に近接して配設された第２の環状逃げ溝６４と、ディスク保持部６３から第２の環状逃げ溝６４に亘って逆「Ｕ」字状に切り込んで構成され、ディスク保持部６３に保持力を付与する４個の弾性部６６と、を有している。
【００２３】
また、ベース体６１には、ディスク保持部６３を中心に対峙すると共にディスク載置部６２の内外に亘って配設された一対のイジェクト開口部６７と、ディスク載置部６２の内外の各所に配設された複数の検出開口部６８と、が形成されている。一対のイジェクト開口部６７は、ディスク状記録媒体Ａを取り外すための開口部である。一方、複数の検出開口部６８は、上記光センサーによって、ディスク状記録媒体Ａの有無並びに、Ｘ軸方向およびＹ軸方向の位置を検出するための開口部である。
【００２４】
ディスク載置部６２は、ベース体６１を円板状に凹設して形成されている。また、ディスク載置部６２は、ディスク状記録媒体Ａの記録面Ａ１が載置される載置面（底面）６２ａを有しており、記録面Ａ１に面接触して下から支持している。また、載置面６２ａは、載置したディスク状記録媒体Ａの上面が、ベース体６１の上面から若干低くなるような高さに形成されている。なお、載置面６２ａは、印刷対象となる複数種のディスク状記録媒体Ａにおいて、最大径のディスク状記録媒体Ａを載置可能な広さに形成されている。
【００２５】
図６は、ディスク保持部６３廻りを示した要部斜視図であり、図７は、ディスク保持部６３廻りを示した要部断面図である。ディスク保持部６３は、載置面６２ａから凸状に形成されており、ディスク状記録媒体Ａの中心開口部Ａ３（ディスク孔）に嵌合する外周壁部６３ａを有して、ディスク状記録媒体Ａを中心基準で位置決めしつつ、嵌合保持（チャック）する。また、ディスク保持部６３は、その上面が、載置したディスク状記録媒体Ａの上面より若干に高く形成されている。さらに、ディスク保持部６３には、幅方向左右上端において、外側に先下がりに傾斜する一対の傾斜部６３ｂが形成されている。当該一対の傾斜部６３ｂによって、供給従動ローラー３３ｂが、ディスク保持部６３の幅方向の端を弾く現象を抑止する。
【００２６】
第１の環状逃げ溝６５は、載置面６２ａ上に環状に凹設されており、ディスク状記録媒体Ａとして、ＣＤおよびＤＶＤをセットした際、ＣＤおよびＤＶＤのスタックリブＡ４を逃げ、受容するように形成されている（図７（ａ）参照）。第１の環状逃げ溝６５の溝幅は、ＣＤやＤＶＤの製造誤差（公差）やセット時の位置ずれを考慮した幅に形成されている。
【００２７】
第２の環状逃げ溝６４は、載置面６２ａ上に環状に凹設あれており、ディスク状記録媒体ＡとしてＢＤをセットした際、ＢＤのスタックリブＡ４を逃げ、受容するように、形成されている（図７（ｂ）参照）。第２の環状逃げ溝６４の溝幅は、ＢＤの製造誤差（公差）やセット時の位置ずれを考慮した幅に形成されると共に、ＢＤのスタックリブＡ４の受容位置からディスク保持部６３の外周壁部６３ａまで延在している。そして、第２の環状逃げ溝６４の内周壁部６４ａが、ディスク保持部６３の外周壁部６３ａを形成している。
【００２８】
各弾性部６６は、第２の環状逃げ溝６４およびディスク保持部６３を、ディスク保持部６３の中心に向かって、平面視逆「Ｕ」字状に切り込んで構成されている。すなわち、第２の環状逃げ溝６４の底面および内周壁部６４ａ、並びにディスク保持部６３の外周壁部６３ａおよび上面に亘って切り込んで構成されている。４個の弾性部６６は、上記切欠き部６３ｂを避けつつ、ディスク保持部６３の周方向に位置ずれして配設されている。ディスク状記録媒体Ａをディスク保持部６３に嵌合すると、４個の弾性部６６の弾性によって、ディスク保持部６３の径方向外側に押圧力を付与される。これによって、ディスク保持部６３は、ディスク状記録媒体Ａを強固に保持する。
【００２９】
以上の実施形態の構成によれば、第２の環状逃げ溝６４の内周壁部６４ａがディスク保持部６３の外周壁部６３ａを形成しているため、ディスク保持部６３の実質的な高さを高くすることができる。これにより、ディスク保持部６３に形成する弾性部６６の丈を高く形成することができる。すなわち、スタックリブＡ４を逃げるための環状逃げ溝６４との協働により、弾性部６６を高さ方向に広く形成することができ、ばねストロークを大きくすることができる。よって、ディスク保持部６３（弾性部６６）のチャック力を安定させることができる。
【００３０】
また、複数の環状逃げ溝６４、６５によって直径の異なるスタックリブＡ４を受容することにより、スタックリブＡ４の直径が異なる複数種のディスク状記録媒体Ａを、浮き上ることなく保持することができる。これにより、ディスク状記録媒体Ａを安定姿勢でセットすることができる。
【００３１】
なお、本実施形態においては、ディスクトレイ２０が取出し可能なトレイ独立型のインクジェット記録装置１に本発明を適用したが、ディスクトレイ２０（ディスクテーブル）がスライド自在に支持された（または固定された）トレイ一体型のインクジェット記録装置１に本発明を適用してもよい。
【００３２】
また、本実施形態においては、ディスク状記録媒体Ａのレーベル面Ａ２を印刷するインクジェット記録装置１のディスクトレイ２０に、本発明を適用したが、これに限るものではない。例えば、ディスク状記録媒体Ａのレコーダーやプレーヤーのディスクトレイ２０に本発明を適用しても良いし、ディスククリーナーのディスクトレイ２０に本発明を適用しても良い。ひいては、ディスク状記録媒体Ａの収納するディスクケースに本発明を適用しても良い。
【００３３】
さらに、上記各実施形態においては、直径の異なる２種のスタックリブＡ４を受容するように環状逃げ溝６４、６５を形成する構成であったが、３種以上のスタックリブＡ４を受容するように環状逃げ溝を形成しても良いし、１種のスタックリブＡ４のみを受容するように環状逃げ溝を形成しても良い。いずれの場合においても、最小径のスタックリブＡ４を受容する環状逃げ溝は、スタックリブＡ４の受容位置からディスク保持部６３まで延在し、当該環状逃げ溝の内周壁部が、ディスク保持部６３の外周壁部６３ａを形成するものとする。
【００３４】
なお、本実施形態においては、弾性部６６を、逆「Ｕ」字状に切り込んで構成したが、これに限るものではなく、たとえば、ディスク保持部６３の中心部に向かって逆「Ｖ」字状に切り込んで、弾性部６６を構成しても良い。
【００３５】
また、本実施形態においては、ディスク状記録媒体Ａを、ディスク保持部６３に嵌合保持させると共に、その記録面Ａ１を接触させて載置する構成であったが、ディスク状記録媒体Ａを、浮かせた状態でセットする構成であっても良い。例えば、上記実施形態において、ディスク保持部６３によるディスク状記録媒体Ａの保持位置を、ディスク載置面６２の上方に設定し、記録面Ａ１が他の部材から非接触となるように、ディスク状記録媒体Ａをセットするものである。かかる場合にも、浮かせた量が、スタックリブＡ４の高さより低い場合には、スタックリブＡ４が邪魔をして上記保持位置にセットすることができないため、当該構成においても、スタックリブＡ４を受容するように環状逃げ溝６４、６５を設ける構成とする。また、最小径の環状逃げ溝６４の内周壁が、ディスク保持部６３の外周壁を形成する構成とする。
【符号の説明】
【００３６】
１：インクジェット記録装置、  ２０：ディスクトレイ、  ５２：インクジェットヘッド、  ６２：ディスク載置部、  ６２ａ：載置面、  ６３：ディスク保持部、  ６３ａ：外周壁部、  ６４：第２の環状逃げ溝、  ６４ａ：内周壁部、  ６５：第１の環状逃げ溝、  ６６：弾性部、  Ａ：ディスク状記録媒体、  Ａ１：記録面、  Ａ２：レーベル面、  Ａ３：中心開口部、  Ａ４：スタックリブ
【図１】
2012158102.tif 000003
【図２】
2012158102.tif 000004
【図３】
2012158102.tif 000005
【図４】
2012158102.tif 000006
【図５】
2012158102.tif 000007
【図６】
2012158102.tif 000008
【図７】
2012158102.tif 000009